(57)【要約】  【課題】  機械操作が不慣れな利用者でも非接触ＩＣカード等の非接触ＩＣメディアを用いて、希望する情報データを配信してその場で配信されたか否かを確認できるような情報配信システムを提供する。  【解決手段】  区分表示部に非接触ＩＣメディアがあてがわれた場合、情報選択端末１０のＲ／Ｗ部は、非接触ＩＣメディアから読み出したユーザ識別データにＲ／Ｗ部識別データを付加して情報配信部２０の情報配信サーバ２１へ送信する。この情報配信サーバ２１は、アドレス用データベース２２からユーザ識別データと関連付けられて登録されている利用者の利用者アドレスデータを読み出し、また、配信情報データベース２３からＲ／Ｗ部識別データと関連付けられて登録されている情報提供元の配信情報データを読み出し、利用者アドレスデータで特定される携帯端末３０へ配信情報データを配信する。【選択図】  図１
2006178697.tif 000002
【特許請求の範囲】
【請求項１】
区分けされた複数の区分表示部でそれぞれ情報を表示する情報表示部と、この区分表示部毎に裏設される複数のＲ／Ｗ部と、複数のＲ／Ｗ部が接続される中央処理部と、を有する情報選択端末と、
情報選択端末の中央処理部と通信する情報配信サーバと、この情報配信サーバに接続されるアドレス用データベースと、情報配信サーバに接続される配信情報データベースと、を有する情報配信部と、
を備える情報配信システムであって、
非接触ＩＣメディアの所持者が希望する情報を表示する区分表示部に非接触ＩＣメディアがあてがわれた場合、
情報選択端末の区分表示部に裏設されるＲ／Ｗ部は、
非接触ＩＣメディアからユーザ識別データを読み出す読出手段と、
ユーザ識別データにＲ／Ｗ部識別データを付加して中央処理部へ送信する送信手段と、
として機能し、
情報選択端末の中央処理部は、
ユーザ識別データおよびＲ／Ｗ部識別データを情報配信部の情報配信サーバへ送信する送信手段と、
として機能し、
情報配信部の情報配信サーバは、
アドレス用データベースからユーザ識別データと関連付けられて登録されている非接触ＩＣメディアの所持者の携帯端末の利用者アドレスデータを読み出す読出手段と、
配信情報データベースからＲ／Ｗ部識別データと関連付けられて登録されている情報提供元の配信情報データを読み出す読出手段と、
利用者アドレスデータで特定される携帯端末へ配信情報データを配信する配信手段と、
として機能し、
非接触ＩＣメディアにより情報選択端末で選択された配信情報データが、非接触ＩＣメディアの所持者の携帯端末へ配信されることを特徴とする情報配信システム。
【請求項２】
請求項１に記載された情報配信システムにおいて、
情報選択端末は中央処理部に接続される出力部を備えるものとし、
非接触ＩＣメディアの所持者が希望する情報を表示する区分表示部に、アドレス用データベースにユーザ識別データが未登録である非接触ＩＣメディアがあてがわれた場合、
情報選択端末の区分表示部に裏設されるＲ／Ｗ部は、
非接触ＩＣメディアからユーザ識別データを読み出す読出手段と、
ユーザ識別データにＲ／Ｗ部識別データを付加して中央処理部へ送信する送信手段と、
として機能し、
情報選択端末の中央処理部は、
ユーザ識別データおよびＲ／Ｗ部識別データを情報配信部へ送信する送信手段と、
として機能し、
情報配信部の情報配信サーバは、
ユーザ識別データがアドレス用データベースに登録されていないと判断したときに仮登録番号データ、ユーザ識別データおよびＲ／Ｗ部識別データを関連付けて一時的に登録する手段と、
仮登録番号データおよび情報配信サーバへの登録専用アドレスデータを情報選択端末の中央処理部へ送信する送信手段と、
として機能し、
情報選択端末の中央処理部は、
仮登録番号データおよび情報配信サーバへの登録専用アドレスデータを出力部に出力する出力手段と、
として機能し、
Subject（件名）に仮登録番号データを入力して情報配信サーバへの登録専用アドレスに宛てて携帯端末からＥメールデータが送信されたときに、
情報配信部の情報配信サーバは、
Ｅメールデータに含まれる仮登録番号データからユーザ識別データを割出す割出し手段と、
メールデータに含まれる利用者アドレスデータを割り出す割出し手段と、
ユーザ識別データと利用者アドレスデータと関連付けてアドレス用データベースへ登録する登録手段と、
利用者アドレスデータで特定される携帯端末へ登録完了した旨を含む返信Ｅメールデータを配信する配信手段と、
として機能し、
以後、非接触ＩＣメディアにより情報選択端末で選択された配信情報データが、非接触ＩＣメディアの所持者の携帯端末へ配信されることを特徴とする情報配信システム。
【請求項３】
請求項１または請求項２に記載の情報配信システムにおいて、
前記非接触ＩＣメディアは、読み書き可能な非接触ＩＣカードであることを特徴とする情報配信システム。
【請求項４】
請求項１または請求項２に記載の情報配信システムにおいて、
前記非接触ＩＣメディアは、読み書き可能な非接触ＩＣ媒体であって、ＥメールデータおよびＷｅｂデータを受信するようになされた携帯端末に一体に搭載されることを特徴とする情報配信システム。
【請求項５】
区分けされた複数の区分表示部でそれぞれ情報を表示する情報表示部と、この区分表示部毎に裏設される複数のＲ／Ｗ部と、複数のＲ／Ｗ部が接続される中央処理部と、を有する情報選択端末と、
情報選択端末の中央処理部と通信する情報配信サーバと、この情報配信サーバに接続される配信情報データベースと、を有する情報配信部と、
を備える情報配信システムであって、
非接触ＩＣメディアの所持者が希望する情報を表示する区分表示部に非接触ＩＣメディアがあてがわれた場合、
情報選択端末の区分表示部に裏設されるＲ／Ｗ部は、
非接触ＩＣメディアから利用者アドレスデータを読み出す読出手段と、
利用者アドレスデータにＲ／Ｗ部識別データを付加して中央処理部へ送信する送信手段と、
として機能し、
情報選択端末の中央処理部は、
利用者アドレスデータおよびＲ／Ｗ部識別データを情報配信部へ送信する送信手段と、
として機能し、
情報配信部の情報配信サーバは、
配信情報データベースからＲ／Ｗ部識別データと関連付けられて登録されている情報提供元の配信情報データを読み出す読出手段と、
利用者アドレスデータで特定される携帯端末へ配信情報データを配信する配信手段と、
として機能し、
非接触ＩＣメディアにより情報選択端末で選択された配信情報データが、非接触ＩＣメディアの所持者の携帯端末へ配信されることを特徴とする情報配信システム。
【請求項６】
請求項５に記載された情報配信システムにおいて、
情報選択端末は中央処理部に接続される出力部を備えるものとし、
非接触ＩＣメディアの所持者が希望する情報を表示する区分表示部に、利用者アドレスデータが未登録である非接触ＩＣメディアがあてがわれた場合、
情報選択端末の区分表示部に裏設されるＲ／Ｗ部は、
非接触ＩＣメディアからユーザ識別データを読み出す読出手段と、
ユーザ識別データにＲ／Ｗ部識別データを付加して中央処理部へ送信する送信手段と、
として機能し、
情報選択端末の中央処理部は、
ユーザ識別データおよびＲ／Ｗ部識別データを情報配信部へ送信する送信手段と、
として機能し、
情報配信部の情報配信サーバは、
仮登録番号データ、ユーザ識別データおよびＲ／Ｗ部識別データを関連付けて一時的に登録する手段と、
仮登録番号データおよび情報配信サーバへの登録専用アドレスデータを情報選択端末の中央処理部へ送信する送信手段と、
として機能し、
情報選択端末の中央処理部は、
仮登録番号データおよび情報配信サーバへの登録専用アドレスデータを出力部に出力する出力手段と、
として機能し、
Subject（件名）に仮登録番号データを入力して情報配信サーバへの登録専用アドレスに宛てて携帯電話からＥメールデータが送信されたときに、
情報配信部の情報配信サーバは、
Ｅメールデータに含まれる仮登録番号データからユーザ識別データを割出す割出し手段と、
Ｅメールデータに含まれる利用者アドレスデータを割り出す割出し手段と、
ユーザ識別データと利用者アドレスデータと関連付けて記憶する記憶手段と、
利用者アドレスデータで特定される携帯端末へ登録完了した旨を含む返信Ｅメールデータを配信する配信手段と、
として機能し、
以後、非接触ＩＣメディアにより情報選択端末で選択された配信情報データが、非接触ＩＣメディアの所持者の携帯端末へ配信されることを特徴とする情報配信システム。
【請求項７】
請求項５または請求項６に記載の情報配信システムにおいて、
前記非接触ＩＣメディアは、読み書き可能な非接触ＩＣカードであることを特徴とする情報配信システム。
【請求項８】
請求項５または請求項６に記載の情報配信システムにおいて、
前記非接触ＩＣメディアは、読み書き可能な非接触ＩＣ媒体であって、ＥメールデータおよびＷｅｂデータを受信するようになされた携帯端末に一体に搭載されることを特徴とする情報配信システム。
【請求項９】
請求項８に記載の情報配信システムにおいて、
配信情報データは、携帯端末が搭載する非接触ＩＣ媒体に自己の利用者アドレスデータを書き込む制御コマンドを含み、
携帯端末は、
携帯端末に配信情報データが配信されたとき、携帯端末が内蔵する非接触ＩＣ媒体に自己の利用者アドレスデータを書き込む手段と、
して機能することを特徴とする情報配信システム。
【請求項１０】
請求項１〜請求項９の何れか一項に記載の情報配信システムにおいて、
前記情報選択端末は、
Ｒ／Ｗ部の上面に区分表示部を直接貼付して情報表示部を形成することを特徴とする情報配信システム。
【請求項１１】
請求項１〜請求項９の何れか一項に記載の情報配信システムにおいて、
前記情報選択端末はボードを備え、
ボード上に複数の区分表示部が貼付けられるとともに、区分表示部の裏側にＲ／Ｗ部が設けられることを特徴とする情報配信システム。
【発明の詳細な説明】
【技術分野】
【０００１】
本発明は、非接触ＩＣメディアを利用して利用者が所望する情報に対して、回線を介して配信情報データを配信する情報配信システムに関する。
【背景技術】
【０００２】
情報配信システムの従来技術として例えば特許文献１（特開２００４−３００６９号公報，発明の名称「配信データ管理装置、配信データ管理方法及び配信用ラック」）が知られている。この従来技術について図を参照しつつ説明する。図８は従来技術の配信データ管理装置の説明図である。配信データ管理装置１００は、カタログラック１０１、アンテナ制御部１０２、制御用コンピュータ１０３、通信ネットワーク接続部１０４、データベース１０５、印刷部１０６を備えている。カタログラック１０１は、更にマルチアンテナシート１０１ａ、複数（６×４個）のアンテナ部１０１ｂを備える。
【０００３】
このような配信データ管理装置１００によれば、図示しない非接触ＩＣメディアを展示会・イベント・店舗内等でのＩＤ（例えばＩＤカード）として使用し、カタログ請求者が請求時にアドレスや住所等を記憶した非接触ＩＣメディアを、会場内に設置されたカタログラック１０１のアンテナ部１０１ｂに近づけることで、制御用コンピュータ１０３は非接触ＩＣメディアに記憶されたアドレスや住所などの情報を読み取り、読み取られた情報をデータベース１０５に記憶し、さらにその情報に基づいて、データベース１０５に記憶されているカタログデータを通信ネットワーク接続部１０４を通じて自動的にインターネットを介して配信したり、印刷部１０６からカタログを印刷して郵送する。
【０００４】
【特許文献１】特開２００４−３００６９号公報
【発明の開示】
【発明が解決しようとする課題】
【０００５】
しかしながら、特許文献１に記載された従来技術では、カタログ等印刷物データの配信を行うため、大掛かりな構成となっていた。また、展示会・イベント・店舗内のなど情報を取得した場所では印刷物データが確実に配信されたかは解らないため、印刷物出力を選択したり、さらには印刷物出力に加えて印刷物データ配信を依頼する来場者が多くなり、印刷物を減らすというシステムの目的が果たせないおそれもあった。また、構成部品が多いため操作性も劣る点があった。また、通信ネットワーク接続部１０４の性能によっては配信エリアが限定される等システム的な課題を有していた。
【０００６】
そこで、本発明は、上述の課題を解決せんとなされたものであり、その目的は、 パーソナルコンピュータ等の制御装置を別途に用意することなく、ネットワーク環境さえあれば容易に敷設可能とし、コンパクトな装置で扱いやすく、機械操作が不慣れな利用者でも非接触ＩＣカード等の非接触ＩＣメディアを用いて、希望する情報データを配信してその場で配信されたか否かを確認できるような情報配信システムを提供することにある。
【課題を解決するための手段】
【０００７】
本発明の請求項１に係る情報配信システムは、
区分けされた複数の区分表示部でそれぞれ情報を表示する情報表示部と、この区分表示部毎に裏設される複数のＲ／Ｗ部と、複数のＲ／Ｗ部が接続される中央処理部と、を有する情報選択端末と、
情報選択端末の中央処理部と通信する情報配信サーバと、この情報配信サーバに接続されるアドレス用データベースと、情報配信サーバに接続される配信情報データベースと、を有する情報配信部と、
を備える情報配信システムであって、
非接触ＩＣメディアの所持者が希望する情報を表示する区分表示部に非接触ＩＣメディアがあてがわれた場合、
情報選択端末の区分表示部に裏設されるＲ／Ｗ部は、
非接触ＩＣメディアからユーザ識別データを読み出す読出手段と、
ユーザ識別データにＲ／Ｗ部識別データを付加して中央処理部へ送信する送信手段と、
として機能し、
情報選択端末の中央処理部は、
ユーザ識別データおよびＲ／Ｗ部識別データを情報配信部の情報配信サーバへ送信する送信手段と、
として機能し、
情報配信部の情報配信サーバは、
アドレス用データベースからユーザ識別データと関連付けられて登録されている非接触ＩＣメディアの所持者の携帯端末の利用者アドレスデータを読み出す読出手段と、
配信情報データベースからＲ／Ｗ部識別データと関連付けられて登録されている情報提供元の配信情報データを読み出す読出手段と、
利用者アドレスデータで特定される携帯端末へ配信情報データを配信する配信手段と、
として機能し、
非接触ＩＣメディアにより情報選択端末で選択された配信情報データが、非接触ＩＣメディアの所持者の携帯端末へ配信されることを特徴とする。
【０００８】
また、本発明の請求項２に係る情報配信システムは、
請求項１に記載された情報配信システムにおいて、
情報選択端末は中央処理部に接続される出力部を備えるものとし、
非接触ＩＣメディアの所持者が希望する情報を表示する区分表示部に、アドレス用データベースにユーザ識別データが未登録である非接触ＩＣメディアがあてがわれた場合、
情報選択端末の区分表示部に裏設されるＲ／Ｗ部は、
非接触ＩＣメディアからユーザ識別データを読み出す読出手段と、
ユーザ識別データにＲ／Ｗ部識別データを付加して中央処理部へ送信する送信手段と、
として機能し、
情報選択端末の中央処理部は、
ユーザ識別データおよびＲ／Ｗ部識別データを情報配信部へ送信する送信手段と、
として機能し、
情報配信部の情報配信サーバは、
ユーザ識別データがアドレス用データベースに登録されていないと判断したときに仮登録番号データ、ユーザ識別データおよびＲ／Ｗ部識別データを関連付けて一時的に登録する手段と、
仮登録番号データおよび情報配信サーバへの登録専用アドレスデータを情報選択端末の中央処理部へ送信する送信手段と、
として機能し、
情報選択端末の中央処理部は、
仮登録番号データおよび情報配信サーバへの登録専用アドレスデータを出力部に出力する出力手段と、
として機能し、
Subject（件名）に仮登録番号データを入力して情報配信サーバへの登録専用アドレスに宛てて携帯端末からＥメールデータが送信されたときに、
情報配信部の情報配信サーバは、
Ｅメールデータに含まれる仮登録番号データからユーザ識別データを割出す割出し手段と、
メールデータに含まれる利用者アドレスデータを割り出す割出し手段と、
ユーザ識別データと利用者アドレスデータと関連付けてアドレス用データベースへ登録する登録手段と、
利用者アドレスデータで特定される携帯端末へ登録完了した旨を含む返信Ｅメールデータを配信する配信手段と、
として機能し、
以後、非接触ＩＣメディアにより情報選択端末で選択された配信情報データが、非接触ＩＣメディアの所持者の携帯端末へ配信されることを特徴とする。
【０００９】
また、本発明の請求項３に係る情報配信システムは、
請求項１または請求項２に記載の情報配信システムにおいて、
前記非接触ＩＣメディアは、読み書き可能な非接触ＩＣカードであることを特徴とする。
【００１０】
また、本発明の請求項４に係る情報配信システムは、
請求項１または請求項２に記載の情報配信システムにおいて、
前記非接触ＩＣメディアは、読み書き可能な非接触ＩＣ媒体であって、ＥメールデータおよびＷｅｂデータを受信するようになされた携帯端末に一体に搭載されることを特徴とする。
【００１１】
また、本発明の請求項５に係る情報配信システムは、
区分けされた複数の区分表示部でそれぞれ情報を表示する情報表示部と、この区分表示部毎に裏設される複数のＲ／Ｗ部と、複数のＲ／Ｗ部が接続される中央処理部と、を有する情報選択端末と、
情報選択端末の中央処理部と通信する情報配信サーバと、この情報配信サーバに接続される配信情報データベースと、を有する情報配信部と、
を備える情報配信システムであって、
非接触ＩＣメディアの所持者が希望する情報を表示する区分表示部に非接触ＩＣメディアがあてがわれた場合、
情報選択端末の区分表示部に裏設されるＲ／Ｗ部は、
非接触ＩＣメディアから利用者アドレスデータを読み出す読出手段と、
利用者アドレスデータにＲ／Ｗ部識別データを付加して中央処理部へ送信する送信手段と、
として機能し、
情報選択端末の中央処理部は、
利用者アドレスデータおよびＲ／Ｗ部識別データを情報配信部へ送信する送信手段と、
として機能し、
情報配信部の情報配信サーバは、
配信情報データベースからＲ／Ｗ部識別データと関連付けられて登録されている情報提供元の配信情報データを読み出す読出手段と、
利用者アドレスデータで特定される携帯端末へ配信情報データを配信する配信手段と、
として機能し、
非接触ＩＣメディアにより情報選択端末で選択された配信情報データが、非接触ＩＣメディアの所持者の携帯端末へ配信されることを特徴とする。
【００１２】
また、本発明の請求項６に係る情報配信システムは、
請求項５に記載された情報配信システムにおいて、
情報選択端末は中央処理部に接続される出力部を備えるものとし、
非接触ＩＣメディアの所持者が希望する情報を表示する区分表示部に、利用者アドレスデータが未登録である非接触ＩＣメディアがあてがわれた場合、
情報選択端末の区分表示部に裏設されるＲ／Ｗ部は、
非接触ＩＣメディアからユーザ識別データを読み出す読出手段と、
ユーザ識別データにＲ／Ｗ部識別データを付加して中央処理部へ送信する送信手段と、
として機能し、
情報選択端末の中央処理部は、
ユーザ識別データおよびＲ／Ｗ部識別データを情報配信部へ送信する送信手段と、
として機能し、
情報配信部の情報配信サーバは、
仮登録番号データ、ユーザ識別データおよびＲ／Ｗ部識別データを関連付けて一時的に登録する手段と、
仮登録番号データおよび情報配信サーバへの登録専用アドレスデータを情報選択端末の中央処理部へ送信する送信手段と、
として機能し、
情報選択端末の中央処理部は、
仮登録番号データおよび情報配信サーバへの登録専用アドレスデータを出力部に出力する出力手段と、
として機能し、
Subject（件名）に仮登録番号データを入力して情報配信サーバへの登録専用アドレスに宛てて携帯電話からＥメールデータが送信されたときに、
情報配信部の情報配信サーバは、
Ｅメールデータに含まれる仮登録番号データからユーザ識別データを割出す割出し手段と、
Ｅメールデータに含まれる利用者アドレスデータを割り出す割出し手段と、
ユーザ識別データと利用者アドレスデータと関連付けて記憶する記憶手段と、
利用者アドレスデータで特定される携帯端末へ登録完了した旨を含む返信Ｅメールデータを配信する配信手段と、
として機能し、
以後、非接触ＩＣメディアにより情報選択端末で選択された配信情報データが、非接触ＩＣメディアの所持者の携帯端末へ配信されることを特徴とする。
【００１３】
また、本発明の請求項７に係る情報配信システムは、
請求項５または請求項６に記載の情報配信システムにおいて、
前記非接触ＩＣメディアは、読み書き可能な非接触ＩＣカードであることを特徴とする。
【００１４】
また、本発明の請求項８に係る情報配信システムは、
請求項５または請求項６に記載の情報配信システムにおいて、
前記非接触ＩＣメディアは、読み書き可能な非接触ＩＣ媒体であって、ＥメールデータおよびＷｅｂデータを受信するようになされた携帯端末に一体に搭載されることを特徴とする。
【００１５】
また、本発明の請求項９に係る情報配信システムは、
請求項８に記載の情報配信システムにおいて、
配信情報データは、携帯端末が搭載する非接触ＩＣ媒体に自己の利用者アドレスデータを書き込む制御コマンドを含み、
携帯端末は、
携帯端末に配信情報データが配信されたとき、携帯端末が内蔵する非接触ＩＣ媒体に自己の利用者アドレスデータを書き込む手段と、
して機能することを特徴とする。
【００１６】
また、本発明の請求項１０に係る情報配信システムは、
請求項１〜請求項９の何れか一項に記載の情報配信システムにおいて、
前記情報選択端末は、
Ｒ／Ｗ部の上面に区分表示部を直接貼付して情報表示部を形成することを特徴とする。
【００１７】
また、本発明の請求項１１に係る情報配信システムは、
請求項１〜請求項９の何れか一項に記載の情報配信システムにおいて、
前記情報選択端末はボードを備え、
ボード上に複数の区分表示部が貼付けられるとともに、区分表示部の裏側にＲ／Ｗ部が設けられることを特徴とする。
【発明の効果】
【００１８】
本発明の情報配信システムによれば、パーソナルコンピュータ等の制御装置を別途に用意することなく、ネットワーク環境さえあれば容易に敷設可能とし、コンパクトな装置で扱いやすく、機械操作が不慣れな利用者でも非接触ＩＣカード等の非接触ＩＣメディアを用いて、希望する情報データを配信してその場で配信されたか否かを確認できるような情報配信システムを提供することができる。
【発明を実施するための最良の形態】
【００１９】
本発明の情報配信システムを実施するための最良の形態について図に基づき説明する。図１は本形態の情報配信システムの概略図、図２は本形態の情報配信システムの構成図である。この情報配信システム１は、情報選択端末１０、情報配信部２０を備える。そして、全体の情報配信システムとしては、図２で示すように、さらに携帯端末３０、移動体通信回線４０を備えるものである。
【００２０】
情報選択端末１０は、図２で示すように、更に中央処理部１１、出力部１２、セレクタ１３、複数個（図１，２では８個）のリード／ライト部（Ｒ／Ｗ部）１４、複数箇所（図１，２では８箇所）の発光部１５、通信線１６を備えている。また、後述するが、図５（ａ）で示すように、情報選択端末１０では区分けされた複数の区分表示部１７２でそれぞれ情報を表示する情報表示部１７も備える。この情報選択端末１０内部では、この区分表示部１７２毎にＲ／Ｗ部１４が裏設される。これら複数のＲ／Ｗ部１４は、通信線１６にバス接続されて、中央処理部１１と通信するようになされている。
【００２１】
ここで、このＲ／Ｗ部１４について先に図を参照しつつ説明する。図３はＲ／Ｗ部１４のブロック構成図、図４はＲ／Ｗ部１４の外観斜視図である。Ｒ／Ｗ部１４は、図３で示すように、Ｒ／Ｗ制御部１４１、通信ポート１４２、読み書き部１４３、汎用入力部１４４、接点出力部１４５を備え、これらは図４で示すようなケース１４６に収容されている。本形態では通信ポート１４２が通信線１６に接続されて通信をするというものであり、汎用入力部１４４、接点出力部１４５はオプションであり、少なくともＲ／Ｗ制御部１４１、通信ポート１４２、読み書き部１４３をケース１４６に備えていれば良い。このＲ／Ｗ部１４のＲ／Ｗ制御部１４１と中央処理部１１（図２参照）とが通信できるようになされている。
【００２２】
話を情報選択端末１０に戻す。情報選択端末の表面には情報表示部が形成される。この情報表示部について図を参照しつつ説明する。図５は、情報配信システムの使用を説明する説明図であって、図５（ａ）は情報選択端末の使用図、図５（ｂ）は携帯端末側の表示説明図である。
図５（ａ）で示すように、情報選択端末１０の情報表示部１７は、ボード１７１と、複数個（図５（ａ）では８個であり、Ｒ／Ｗ部１４と同数である）の区分表示部１７２と、を備えている。
【００２３】
このボード１７１は、例えば、Ａ３用紙サイズ(２９７×４２０ｍｍ)と同じサイズとなっており、表面には紙の印刷物が貼付できる構造である。情報表示部１７は、図５（ａ）で示すように、標準構成では４列×２行の８領域に区分してあり、区分けされた８領域の区分表示部１７２でそれぞれ別の情報を表示できるようになされている。カラープリンター等で表記した印刷物である区分表示部１７２がボード１７１に８枚貼付けられて情報表示部１７が形成される。この情報表示部１７としては、例えば、メニュー、飲食店での電子クーポン券の概要、携帯有料コンテンツ（携帯ゲーム・着信メロディなど）内容や手続料金、観光案内概要、カタログ概要などである。このように区分表示部１７２を個別に印刷するため、記載変更に際しても対応しやすくしている。
【００２４】
このボード１７１の裏側には区分表示部１７２と同じ大きさの収納部が複数区分された収納ケースが設けられ、これら収納部毎にそれぞれＲ／Ｗ部１４が収容され、配線等なされた上で上面カバーであるボード１７１で収納ケースが覆われて固定され、情報選択端末１０が形成される。
なお、Ｒ／Ｗ部１４はセレクタ１３により使用か不使用かを選択できるようになされており、必要なＲ／Ｗ部１４のみ使用することができる。また、出力部１２は、例えば、図６（ａ）で示すように、ディスプレイ１２１、プリンタ１２２である。
【００２５】
続いて、情報配信部２０について説明する。情報配信部２０は、図１，図２で示すように、情報配信サーバ２１、アドレス用データベース２２、配信情報データベース２３を備える。
情報配信サーバ２１は、情報選択端末１０の中央処理部１１と通信可能になされている。また、この情報配信サーバ２１は、携帯端末３０と移動体通信回線４０を介してＥメールデータ・Ｗｅｂデータの送受信が可能である。
アドレス用データベース２２は、情報配信サーバ２１に接続され、非接触ＩＣメディアのユーザを識別するために付与されるユーザ識別データと、非接触ＩＣメディアのユーザが有する携帯端末の利用者アドレスデータとが関連付けられて登録されている。これら登録は多数の利用者についてなされている。
配信情報データベース２３は、情報配信サーバ２１に接続され、Ｒ／Ｗ部１４がそれぞれ個別に有するＲ／Ｗ部識別データと、各種コンテンツである配信情報データとが関連付けられて登録されている。これら登録は多数の情報提供元のコンテンツについてなされている。
【００２６】
続いて本形態の情報配線システム１による情報配信について説明する。この情報配信システムでは、説明の具体化のため、例を挙げて説明する。例えば、展示場などで着信メロディ情報の配信を希望する場合について説明する。入場者は、非接触ＩＣメディアの具体例として非接触ＩＣカード５０を所有している（図５（ａ）参照）。この、非接触ＩＣカード５０には製造元で付与されたユニークな（この世にただ一つしかない）ＩＤデータが登録されており、このＩＤデータをユーザ識別データとして利用する。
【００２７】
この非接触ＩＣカード５０のユーザ識別データ、非接触ＩＣカード５０が送付された人の個人情報データ、および、この人が有する携帯端末の利用者アドレスデータは、関連付けられた一のデータとしてアドレス用データベース２２に登録されている。
この登録は、例えば、展示場への入場申し込み時に送られた申込書・メール等に記載された情報に基づいて個人情報データ、利用者アドレスデータを登録し、さらにある非接触ＩＣカード５０のユーザ識別データを関連づけて登録し、この非接触ＩＣカード５０を当該申し込み者へ入場券として送付することで実現する。このような登録は全ての参加申し込み者についてなされている。
また、配信情報データベース２３は、予めＲ／Ｗ部識別データと配信情報データとが関連付けられて登録されている。
これらのような登録は展示会が開催される前に予め終了している。
【００２８】
そして、展示会会場にて、展示物に興味を持った非接触ＩＣカード５０の所持者が、図５（ａ）で示すように、希望する情報を表示する区分表示部１７２に非接触ＩＣカード５０を宛った場合、以下のように動作する。
まず、区分表示部１７２に裏設されるＲ／Ｗ部１４のＲ／Ｗ制御部１４１は、読み書き部１４３の図示しないアンテナと電磁結合した非接触ＩＣカード５０からユーザ識別データを読み出す読出手段として機能する。この際、Ｒ／Ｗ制御部１４１は、読出し中は、発光部１５の詳細例として図３で示した動作表示発光部１５１を点灯・点滅させて動作中であることを表示する表示手段として機能する。さらに、動作不良時（例えば読出し不良時）に限ってであるが、Ｒ／Ｗ制御部１４１は、発光部１５の詳細例として図３で示したエラー表示発光部１５２を点灯・点滅させてエラーが発生したことを表示する表示手段として機能する。動作不良時は再度非接触ＩＣカード５０を区分情報部１７２にかざすこととなる。さて、読出し成功時に、Ｒ／Ｗ制御部１４１は、この読み出したユーザ識別データに対し、Ｒ／Ｗ部１４に個々に割り当てられたＲ／Ｗ部識別データを加えて、中央処理部１１へ送信する送信手段として機能する。
【００２９】
情報選択端末１０の中央処理部１１は、ユーザ識別データおよびＲ／Ｗ部識別データを受信し、これらユーザ識別データおよびＲ／Ｗ部識別データを含む通信データを生成し、情報配信部２０の情報配信サーバ２１へ送信する送信手段として機能する。通信データが情報配信サーバ２１へ送信される。
情報配信部２０の情報配信サーバ２１は、通信データを受信してこの通信データからユーザ識別データおよびＲ／Ｗ部識別データを読み出す読出し手段として機能する。
【００３０】
情報配信部２０の情報配信サーバ２１は、読み出したユーザ識別データを参照するため、アドレス用データベース２２へアクセスし、ユーザ識別データと関連付けられて登録されている非接触ＩＣメディアの所持者の携帯端末の利用者アドレスデータを読み出す読出手段として機能する。
次に、情報配信部２０の情報配信サーバ２１は、読み出したＲ／Ｗ部識別データを参照するため、配信情報データベース２３へアクセスし、Ｒ／Ｗ部識別データと関連付けられて登録されている情報提供元の配信情報データを読み出す読出手段として機能する。
これにより、利用者アドレスデータと配信情報データとが読み出される。
【００３１】
情報配信部２０の情報配信サーバ２１は、利用者アドレスデータで特定される携帯端末３０へ配信情報データを配信する配信手段として機能する。
配信情報データが移動体通信回線４０を介して携帯端末３０へ送信される。携帯端末３０はこの配信情報データを受信し、図５（ｂ）で示すように、所望の情報を表示する。
この配信情報データは、Ｗｅｂサイトデータや、または、Ｅメールデータなどである。
【００３２】
このＥメールデータの本文は、サービス内容によって異なるが、例えば、事業者が運営するサイトへ誘導するリンクデータや、事業者が運営するサイトのアドレスデータを表示するものである。
また、情報選択端末１０の区分表示部１７２が飲食店に関する資料を貼り付けたならば、希望する店の情報を表示する携帯コンテンツのＷｅｂサイトへ誘導したり、Ｅメールおよび郵送でその店のクーポンなどが届く。
また、情報選択端末１０の区分表示部１７２が観光地などのポスターを貼付けたならば、Ｅメールおよび郵送で観光地情報が届く、
また、情報選択端末１０の区分表示部１７２が商品であるならば、Ｅメールおよび郵送で商品情報が届く。
このように、飲食店のクーポン券配布や携帯コンテンツへの誘導、カタログ請求などでの利用が可能となる。
【００３３】
本形態の情報配信システムでは、このようにして非接触ＩＣカード５０を宛って選択された区分表示部１７２に関連する情報配信データが、非接触ＩＣカード５０の所持者の携帯電話等である携帯端末へ配信されるため、情報取得できたことがその場で確認されるため、印刷物での情報提供を可能な限り少なくすることができ、また、情報取得が極めて容易となったため情報取得数が増大し、情報活用・情報提供が進んで、情報利用者および情報提供者の双方に取って好ましいという利点がある。
【００３４】
続いて、先に説明した形態に応用機能を付加した形態について図を参照しつつ説明する。図６は、情報配信システムの応用機能を説明する説明図であり、図６（ａ）は情報選択端末の使用図、図６（ｂ），図６（ｃ）は携帯端末側の表示説明図である。
アドレス用データベース２２にユーザ識別データが未登録である非接触ＩＣカードを所持しているものとする。このような状態は、例えば、電車の乗車用の非接触ＩＣカードを、コンビニエンスストアにある情報配信端末にかざすような場合が考えられる。
【００３５】
図６（ａ）で示すように、このような非接触ＩＣメディア所持者が希望する情報を表示する区分表示部１７２に非接触ＩＣカード５０があてがわれた場合、
情報選択端末１０の区分表示部１７２に裏設されるＲ／Ｗ部１４のＲ／Ｗ制御部１４１は、読み書き部１４３の図示しないアンテナと電磁結合した非接触ＩＣカード５０からユーザ識別データを読み出す読出手段として機能する。この際、Ｒ／Ｗ制御部１４１は、読出し中は、図３で示した動作表示発光部１５１を点灯・点滅させて動作中であることを表示する表示手段として機能する。さらに、動作不良時（例えば読出し不良時）に限ってであるが、Ｒ／Ｗ制御部１４１は、エラー表示発光部１５２を点灯・点滅させてエラーが発生したことを表示する表示手段として機能する。そして、Ｒ／Ｗ制御部１４１は、この読み出したユーザ識別データに対し、個々のＲ／Ｗ部１４に割り当てられたＲ／Ｗ部識別データを付加して、中央処理部１１へ送信する送信手段として機能する。
【００３６】
情報選択端末１０の中央処理部１１は、ユーザ識別データおよびＲ／Ｗ部識別データを受信し、これら、ユーザ識別データおよびＲ／Ｗ部識別データ含む通信データを生成し、情報配信部２０の情報配信サーバ２１へ送信する送信手段として機能する。通信データが情報配信サーバ２１へ送信される。
情報配信部２０の情報配信サーバ２１は、通信データを受信してこの通信データからユーザ識別データおよびＲ／Ｗ部識別データを読み出す読出し手段として機能する。情報配信部２０の情報配信サーバ２１は、読み出したユーザ識別データを参照するため、アドレス用データベース２２へアクセスする。しかしながらこのユーザ識別データは未登録であるため、情報配信部２０の情報配信サーバ２１がアドレス用データベース２２に登録されていないと判断したときに予め用意されていた仮登録番号データに対し、ユーザ識別データおよびＲ／Ｗ部識別データを関連付けて一時的に登録する手段として機能する。登録箇所はメモリ・ハードディスクなど使用可能な記憶装置を用いればよい。
【００３７】
情報配信部２０の情報配信サーバ２１は、仮登録番号データおよび情報配信サーバへの登録専用アドレスデータを含む通信データを生成し、この通信データを情報選択端末１０の中央処理部１１へ送信する送信手段として機能する。
情報選択端末１０の中央処理部１１は、通信データを受信して仮登録番号データおよび情報配信サーバへの登録専用アドレスデータを読出し、これら仮登録番号データおよび情報配信サーバ２１への登録専用アドレスデータを出力部１２に出力する出力手段として機能する。例えば、図６(ａ）で示すように、ディスプレイ１２１やプリンタ１２２に仮登録番号データ（図６(ａ）では「１２３４５６」）および情報配信サーバ２１への登録専用アドレスデータ（図６(ａ）では「××．○○．ｊｐ」）が表示される。
【００３８】
これを見た非接触カード５０の保持者は、図６（ｂ）で示すように、Subject（件名）に仮登録番号データ（図６（ｂ）では「１２３４５６」）を入力して情報配信サーバ２１への登録専用アドレスに宛てて携帯端末からＥメールデータを送信する。この場合メール本文は特に指定はないが、例えば、全くの空文や、展示会名・時間・場所のみを表した文としても良い。
【００３９】
情報配信部２０の情報配信サーバ２１は、Ｅメールデータに含まれる仮登録番号データを読出し、この仮登録番号データと関連づけられて一時的に記憶されているユーザ識別データを割出す割出し手段として機能し、続いてＥメールデータに発信先として含まれる利用者アドレスデータを割り出す割出し手段として機能する。続いて、情報配信部２０の情報配信サーバ２１は、ユーザ識別データと利用者アドレスデータと関連付けてアドレス用データベース２２へ登録する登録手段として機能する。以後アドレス用データベース２２にユーザ識別データと利用者アドレスデータとが登録される。
【００４０】
情報配信部２０の情報配信サーバ２１は、利用者アドレスデータで特定される携帯端末３０へ登録完了した旨を含む返信Ｅメールデータを配信する配信手段として機能する。携帯端末３０で返信Ｅメールデータによる図６（ｃ）で示すようなＥメールを見た非接触ＩＣカード５０の保持者は、登録終了したことを確認する。
【００４１】
次に、情報配信部２０の情報配信サーバ２１は、読み出したＲ／Ｗ部識別データを参照するため、配信情報データベース２３へアクセスし、Ｒ／Ｗ部識別データと関連付けられて登録されている情報提供元の配信情報データを読み出す読出手段として機能する。
情報配信部２０の情報配信サーバ２１は、利用者アドレスデータで特定される携帯端末３０へ配信情報データを配信する配信手段として機能する。
配信情報データが移動体通信回線４０を介して携帯端末３０へ送信される。携帯端末３０はこの配信情報データを受信し、所望の情報を表示する。
以後、情報配信システム１では、非接触ＩＣメディアにより情報選択端末で選択された配信情報データが、非接触ＩＣメディア所持者の携帯端末へ配信される。
【００４２】
以上本形態の情報配信システムについて説明した。なお、本形態では、非接触ＩＣメディアの一例として、例えばＦｅｌｉｃａのように、データの読み書き可能な非接触ＩＣカード５０であるとして説明した。しかしながら、非接触ＩＣカード５０に代えて、読み書き可能な非接触ＩＣ媒体を含む携帯電話であるとしても良い。これは、例えばＮＴＴドコモの「おサイフケータイ」という非接触ＩＣカード（電子マネーデータの読み書きが可能なＦｅｌｉｃａ）を一体に搭載した携帯電話である。この場合、非接触ＩＣカード５０と携帯端末３０とをこの「おサイフケータイ」で一緒にしても良い。
【００４３】
続いて他の形態について図を参照しつつ説明する。図７は、他の形態の情報配信システムの構成図である。本形態の情報配信システムでは、非接触ＩＣカード５０自体が予め、非接触ＩＣカード５０の保持者の携帯端末３０の利用者アドレスデータを登録している場合の情報配信システム２である。この場合、先に図２を掲げて説明した情報配信システム１と比較して、アドレス用データベースがなくなっている点のみが相違するが、後は同じ構成を有しており、他は同じ符号を付すとともに重複する説明を省略する。
【００４４】
続いて本形態の情報配線システム２による情報配信について説明する。この情報配信システムでは、説明の具体化のため、例を挙げて説明する。例えば、展示場などで着信メロディ情報の配信を希望する場合について説明する。入場者は、非接触ＩＣメディアの具体例として非接触ＩＣカード５０を所有している。この、非接触ＩＣカード５０には利用者アドレスデータが登録されている。
【００４５】
このに非接触ＩＣカード５０における利用者アドレスデータの登録は、例えば、展示場への入場申し込み時に送られた申込書・メール等から個人情報データ、利用者アドレスデータを取得し、ある非接触ＩＣカード５０に利用者アドレスデータを登録し、この非接触ＩＣカード５０を当該申し込み者へ入場券として送付することで実現する。このような登録は全ての参加申し込み者についてなされている。
また、配信情報データベース２３は、予めＲ／Ｗ部識別データと配信情報データとが関連付けられて登録されている。このような登録は展示会が開催される前に予め終了している。
【００４６】
そして、展示会会場にて、展示物に興味を持った非接触ＩＣカード５０の所持者が、図５（ａ）で示すように、希望する情報を表示する区分表示部１７２に非接触ＩＣカード５０を宛った場合、以下のように動作する。
まず、区分表示部１７２に裏設されるＲ／Ｗ部１４のＲ／Ｗ制御部１４１は、読み書き部１４３の図示しないアンテナと電磁結合した非接触ＩＣカード５０から利用者アドレスデータを読み出す読出手段として機能する。この際、Ｒ／Ｗ制御部１４１は、読出し中は、図３で示した動作表示発光部１５１を点灯・点滅させて動作中であることを表示する表示手段として機能する。さらに、動作不良時（例えば読出し不良時）に限ってであるが、Ｒ／Ｗ制御部１４１は、エラー表示発光部１５２を点灯・点滅させてエラーが発生したことを表示する表示手段として機能する。そして、Ｒ／Ｗ制御部１４１は、この読み出した利用者アドレスデータに対し、Ｒ／Ｗ部１４に割り当てられたＲ／Ｗ部識別データを加えて、ともに中央処理部１１へ送信する送信手段として機能する。
【００４７】
情報選択端末１０の中央処理部１１は、利用者アドレスデータおよびＲ／Ｗ部識別データを受信し、これら利用者アドレスデータおよびＲ／Ｗ部識別データ含む通信データを生成し、情報配信部２０の情報配信サーバへ送信する送信手段として機能する。通信データが情報配信サーバ２１へ送信される。
情報配信部の情報配信サーバ２１は、通信データを受信してこの通信データから利用者アドレスデータおよびＲ／Ｗ部識別データを読み出す読出し手段として機能する。
【００４８】
情報配信部２０の情報配信サーバ２１は、読み出したＲ／Ｗ部識別データを参照するため、配信情報データベース２３へアクセスし、Ｒ／Ｗ部識別データと関連付けられて登録されている情報提供元の配信情報データを読み出す読出手段として機能する。
これにより、利用者アドレスデータと配信情報データが読み出される。
【００４９】
情報配信部の情報配信サーバ２１は、利用者アドレスデータで特定される携帯端末３０へ配信情報データを配信する配信手段として機能する。
配信情報データが移動体通信回線４０を介して携帯端末３０へ送信される。携帯端末３０はこの配信情報データを受信し、所望の情報を表示する。
この配信情報データは、例えばＷｅｂサイトデータや、または、Ｅメールデータなどである。
【００５０】
本形態の情報配信システムでは、このようにして非接触ＩＣカード５０を宛って選択された区分表示部１７２の関連する情報配信データが、非接触ＩＣカード５０の所持者の携帯電話等である携帯端末３０へ配信されるため、情報取得が極めて容易となって情報取得数が増大し、情報活用・情報提供が進んで、情報利用者および情報提供者の双方に取って好ましいという利点がある。また、アドレス用データベースが不要となって、システムの簡単化にも寄与する。
【００５１】
続いて、先に説明した形態に応用機能を付加した形態について図６を参照しつつ説明する。利用者アドレスデータが未登録である非接触ＩＣカード５０を所持しているものとする。この場合、非接触ＩＣカード５０にはユーザ識別データのみが登録されているものとする。このような状態は、例えば、電車の乗車用の非接触ＩＣカードを、コンビニエンスストアにある情報配信端末にかざすような場合が考えられる。
【００５２】
図６（ａ）で示すように、このような非接触ＩＣメディア所持者が希望する情報を表示する区分表示部１７２に非接触ＩＣカード５０があてがわれた場合、
情報選択端末１０の区分表示部１７２に裏設されるＲ／Ｗ部１４のＲ／Ｗ制御部１４１は、読み書き部１４３の図示しないアンテナと電磁結合した非接触ＩＣカード５０からユーザ識別データを読み出す読出手段として機能する。この際、Ｒ／Ｗ制御部１４１は、読出し中は、図３で示した動作表示発光部１５１を点灯・点滅させて動作中であることを表示する表示手段として機能する。さらに、動作不良時（例えば読出し不良時）に限ってであるが、Ｒ／Ｗ制御部１４１は、エラー表示発光部１５２を点灯・点滅させてエラーが発生したことを表示する表示手段として機能する。そして、Ｒ／Ｗ制御部１４１は、この読み出したユーザ識別データに対し、Ｒ／Ｗ部１４に割り当てられたＲ／Ｗ部識別データを付加して、中央処理部１１へ送信する送信手段として機能する。
【００５３】
情報選択端末１０の中央処理部１１は、ユーザ識別データおよびＲ／Ｗ部識別データを受信し、これらユーザ識別データおよびＲ／Ｗ部識別データ含む通信データを生成し、情報配信部２０の情報配信サーバ２１へ送信する送信手段として機能する。通信データが情報配信サーバ２１へ送信される。
情報配信部２０の情報配信サーバ２１は、通信データを受信してこの通信データからユーザ識別データおよびＲ／Ｗ部識別データを読み出す読出し手段として機能する。ユーザ識別データが情報配信部２０の情報配信サーバ２１は、仮登録番号データに対し、ユーザ識別データおよびＲ／Ｗ部識別データを関連付けて一時的に記憶部に登録する手段として機能する。
【００５４】
情報配信部２０の情報配信サーバ２１は、仮登録番号データおよび情報配信サーバへの登録専用アドレスデータを含む通信データを生成し、この通信データを情報選択端末２０の中央処理部１１へ送信する送信手段として機能する。
情報選択端末１０の中央処理部１１は、通信データから仮登録番号データおよび情報配信サーバ２１への登録専用アドレスデータを読み出し、これら仮登録番号データおよび情報配信サーバ２１への登録専用アドレスデータを出力部１２に出力する出力手段として機能する。例えば、図６(ａ）で示すように、ディスプレイ１２１やプリンタ１２２に仮登録番号データ（図６(ａ）では「１２３４５６」）および情報配信サーバへの登録専用アドレスデータ（図６(ａ）では「××．○○．ｊｐ」）が表示される。
【００５５】
これを見た非接触カード５０の保持者は、図６（ｂ）で示すように、Subject（件名）に仮登録番号データ（図６(ｂ）では「１２３４５６」）を入力して情報配信サーバ２１への登録専用アドレスに宛てて携帯端末３０から本文なしのメールを送信する。
【００５６】
情報配信部２０の情報配信サーバ２１は、Ｅメールデータから仮登録番号データを読出し、この仮登録番号データに関連づけられて一時的に記憶されているユーザ識別データを割出す割出し手段として機能し、続いてＥメールデータに発信先として含まれる利用者アドレスデータを割り出す割出し手段として機能する。続いて、情報配信部２０の情報配信サーバ２１は、ユーザ識別データと利用者アドレスデータと関連付けて図示しない記憶部へ登録する登録手段として機能する。以後この記憶部にユーザ識別データと利用者アドレスデータとが登録され、非接触カード５０に利用者アドレスデータが登録されるまで一時的にこの登録により情報配信を行う。
【００５７】
情報配信部２０の情報配信サーバ２０は、利用者アドレスデータで特定される携帯端末３０へ登録完了した旨を含む返信Ｅメールデータを配信する配信手段として機能する。携帯端末３０で返信Ｅメールデータによる図６（ｃ）で示すようなメールを見た非接触ＩＣカード５０の保持者は、登録終了したことを確認する。
【００５８】
次に、情報配信部２０の情報配信サーバ２１は、読み出したＲ／Ｗ部識別データを参照するため、配信情報データベース２３へアクセスし、Ｒ／Ｗ部識別データと関連付けられて登録されている情報提供元の配信情報データを読み出す読出手段として機能する。
情報配信部２０の情報配信サーバ２１は、利用者アドレスデータで特定される携帯端末３０へ配信情報データを配信する配信手段として機能する。
配信情報データが移動体通信回線４０を介して携帯端末３０へ送信される。携帯端末３０はこの配信情報データを受信し、所望の情報を表示する。
以後、情報配信システム２では、非接触ＩＣメディアにより情報選択端末で選択された配信情報データが、非接触ＩＣメディア所持者の携帯端末へ配信される。
【００５９】
以上本形態の情報配信システムについて説明した。なお、本形態では、非接触ＩＣメディアは、その具体例として読み書き可能な非接触ＩＣカード５０であるとして説明した。しかしながら、非接触ＩＣカード５０に代えて、読み書き可能な非接触ＩＣ媒体を含む携帯電話であるとしても良い。これは、例えば「おサイフケータイ」という非接触ＩＣカードを含む携帯電話としてもよい。この場合、非接触ＩＣカード５０と携帯端末３０とを一緒にしても良い。
さらに、この非接触ＩＣカード５０と携帯端末３０とが一体になった「おサイフケータイ」という非接触ＩＣカード５０を含む携帯電話では以下のようにしても良い。例えば、先のように配信された配信情報データに、携帯電話５０が内蔵する非接触ＩＣカードに対して、自己の利用者アドレスデータを書き込む制御コマンドを含むようにすれば、この携帯電話は、携帯電話に配信情報データが配信されたとき、携帯電話が内蔵する非接触ＩＣカード５０に自己の利用者アドレスデータを書き込む手段として機能する。これにより、非接触ＩＣカード５０に利用者アドレスデータが登録されるため、情報配信サーバ２１がユーザ識別データと利用者アドレスデータと関連付けて登録する必要がなくなり、以後はこれら一時的に登録されているデータを破棄しても良い。
【００６０】
以上各種形態について説明した。これら形態では各種の変形形態が可能である。例えば、情報選択端末１０において、収納ケースを複数区分せずに、上面カバーの各メニュー位置に対応してＲ／Ｗ部１４のみを、２行４列のマトリクス状に配置し、これら複数のＲ／Ｗ部１４を一括制御するＣＰＵ及びＬＡＮボードを備え、収納ケース全体でリーダ／ライタユニットを構成してもよい。
【００６１】
また、Ｒ／Ｗ部１４の接点出力をコンピュータ（図示せず）に接続し、このコンピュータが上面カバー表記された各メニューに対し、リクエストされたメニュー頻度数をカウントして、利用頻度の多いメニュー項目を充実させ、利用頻度の少ないメニュー項目を速やかに入れ替える等情報配信内容を利用者の希望に適応しやすくしている。
【００６２】
また、情報選択端末１０は、ボード１７１上に複数の区分表示部１７２が貼付けられるとともに、区分表示部１７２の裏側にＲ／Ｗ部１４が設けられものとして説明したが、これ以外にも、Ｒ／Ｗ部１４の上面に区分表示部を貼付して情報表示部を形成するようにしても良い。これら構成は事情に応じて適宜選択される。
【００６３】
また、情報配信システム１，２は、情報配信サービスをＡＳＰ（サーバ運用型のアプリケーションレンタル方式）で提供するなど電気通信事業者が担当し、独自の情報内容を盛り込んだ情報選択端末のコンテンツ開発を別途事業者が提供するなどして、各社得意な分野を分担しながら、より利用者の要望に即応して充実した情報配信システムとすることができる。
【００６４】
こうして、ネットワーク環境が整備されつつある状況にあって、容易に敷設しながら、その場で配信されたことを確認できるため、不要な印刷物の増加を抑え、メール配信端末自体も極めてコンパクトな装置で扱いやすく、機械操作が不慣れな利用者でもＩＣカード等非接触ＩＣメディアを用いて、希望する情報データを配信できる情報配信システムを実現できる。そして、この情報配信システムは、情報データ配信に留まらず、例えば、飲食店での電子クーポン券の発券業務、携帯有料コンテンツ（携帯ゲーム・着信メロディなど）、観光案内、カタログ、技術情報等提供をはじめ各種業務に適用できる。
【図面の簡単な説明】
【００６５】
【図１】本発明を実施するための最良の形態の情報配信システムの概略図である。
【図２】本発明を実施するための最良の形態の情報配信システムの構成図である。
【図３】Ｒ／Ｗ部のブロック構成図である。
【図４】Ｒ／Ｗ部の外観斜視図である。
【図５】情報配信システムの使用を説明する説明図であって、図５（ａ）は情報選択端末の使用図、図５（ｂ）は携帯端末側の表示説明図である。
【図６】情報配信システムの応用機能を説明する説明図であり、図６（ａ）は情報選択端末の使用図、図６（ｂ），図６（ｃ）は携帯端末側の表示説明図である。
【図７】他の形態の情報配信システムの構成図である。
【図８】従来技術の配信データ管理装置の説明図である。
【符号の説明】
【００６６】
１，２：情報配信システム
１０：情報選択端末
１１：中央処理部
１２：出力部
１２１：ディスプレイ
１２２：プリンタ
１３：セレクタ
１４：リード／ライト部（Ｒ／Ｗ部）
１４１：Ｒ／Ｗ制御部
１４２：通信ボード
１４３：読み書き部
１４４：汎用入力部
１４５：接点出力部
１４６：ケース
１５：発光部
１５１：動作表示発光部
１５２：エラー表示発光部
１６：通信線  
１７：情報表示部
１７１：ボード
１７２：区分表示部
２０：情報配信部
２１：情報配信サーバ
２２：アドレス用データベース
２３：配信情報データベース
３０：携帯端末
４０：移動体通信回線
５０：非接触ＩＣカード
【図１】
2006178697.tif 000003
【図２】
2006178697.tif 000004
【図３】
2006178697.tif 000005
【図４】
2006178697.tif 000006
【図５】
2006178697.tif 000007
【図６】
2006178697.tif 000008
【図７】
2006178697.tif 000009
【図８】
2006178697.tif 000010